(57)【要約】【課題】外部Ｉ／Ｆに複数のポートを有する場合であっても、通信品質を劣化させることなく、当該ポートを通じて接続される外部機器との間で確実に通信を行えるようにする。【解決手段】外部機器が接続されるＩ／Ｆ端部１５１Ａ、１５１Ｂのそれぞれは、スイッチ回路１５２１を通じて後段の外部Ｉ／Ｆ回路１５３に接続される。スイッチ制御部１５２２は、Ｉ／Ｆ端部１５１Ａ、１５１Ｂのどちらに外部機器が接続されたかを検出し、この検出結果に基づいて、スイッチ回路１５２２を切り替え制御し、実際に外部機器が接続されたＩ／Ｆ端部を外部Ｉ／Ｆ回路１５３に接続する。【選択図】図１
2009010587.tif 000002
【特許請求の範囲】
【請求項１】
外部機器との少なくとも２つ以上の接続端部と、
前記２つ以上の接続端部の内の１つを選択して後段の回路に接続するように切り替える切り替え手段と、
前記２つ以上の接続端部の何れに外部機器が接続されたかを検出して、外部機器が接続された接続端部を、後段の回路に接続するように、前記切り替え手段を制御する切り替え制御手段と
を備えることを特徴とする接続端部切り替え装置。
【請求項２】
請求項１に記載の接続端部切り替え装置であって、
前記２つ以上の接続端部の内、少なくとも１つが高速な通信を行う高速通信規格に対応するものであり、他の１つが低速な通信を行う低速通信規格に対応するものであることを特徴とする接続端部切り替え装置。
【請求項３】
請求項１に記載の接続端部切り替え装置であって、
前記２つ以上の接続端部のそれぞれは、接続される外部機器から所定の識別信号の供給を受ける所定の信号ラインを備えるものであり、
前記切り替え制御手段は、前記２つ以上の接続端部のそれぞれの前記所定の信号ラインを通じて前記所定の識別信号の供給を受けている接続端部を、外部機器が接続された接続端部として認識し、これに応じて前記切り替え手段を制御することを特徴とする接続端部切り替え装置。
【請求項４】
請求項１に記載の接続端部切り替え装置であって、
前記２つ以上の接続端部のそれぞれは、接続される外部機器から駆動電源の供給を受ける電源ラインを備えるものであり、
前記切り替え制御手段は、前記２つ以上の接続端部のそれぞれの前記電源ラインを通じて駆動電源の供給を受けている接続端部を、外部機器が接続された接続端部として認識し、これに応じて前記切り替え手段を制御することを特徴とする接続端部切り替え装置。
【請求項５】
請求項１に記載の接続端部切り替え装置であって、
携帯機器における外部機器とのインターフェース手段として用いられることを特徴とする接続端部切り替え装置。
【請求項６】
外部機器との少なくとも２つ以上の接続端部が、前記２つ以上の接続端部の内の１つを選択して後段の回路に接続するように切り替える切り替え手段に接続された電子機器においての接続端部切り替え方法であって、
前記２つ以上の接続端部の何れに外部機器が接続されたかを検出する検出工程と、
前記検出工程においての検出結果に基づいて、外部機器が接続された接続端部を、後段の回路に接続するように、前記切り替え手段を制御する切り替え制御工程と
を有することを特徴とする接続端部切り替え方法。
【請求項７】
請求項６に記載の接続端部切り替え方法であって、
前記２つ以上の接続端部の内、少なくとも１つが高速な通信を行う高速通信規格に対応するものであり、他の１つが低速な通信を行う低速通信規格に対応するものであることを特徴とする接続端部切り替え方法。
【請求項８】
請求項６に記載の接続端部切り替え方法であって、
前記２つ以上の接続端部のそれぞれは、接続される外部機器から所定の識別信号の供給を受ける所定の信号ラインを備えるものであり、
前記切り替え制御工程においては、前記２つ以上の接続端部のそれぞれの前記所定の信号ラインを通じて前記所定の識別信号の供給を受けている接続端部を、外部機器が接続された接続端部として認識し、これに応じて前記切り替え手段を制御することを特徴とする接続端部切り替え方法。
【請求項９】
請求項６に記載の接続端部切り替え方法であって、
前記２つ以上の接続端部のそれぞれは、接続される外部機器から駆動電源の供給を受ける電源ラインを備えるものであり、
前記切り替え制御工程においては、前記２つ以上の接続端部のそれぞれの前記電源ラインを通じて駆動電源の供給を受けている接続端部を、外部機器が接続された接続端部として認識し、これに応じて前記切り替え手段を制御することを特徴とする接続端部切り替え方法。
【請求項１０】
請求項６に記載の接続端部切り替え方法であって、
前記電子機器は、携帯機器であり、当該携帯端末における外部機器とのインターフェース部分に用いられることを特徴とする接続端部切り替え方法。
【発明の詳細な説明】
【技術分野】
【０００１】
この発明は、例えば、携帯電話端末などの電子機器に搭載され、外部機器が接続された接続端部との接続制御を行うようにする装置、方法に関する。
【背景技術】
【０００２】
近年、携帯電話端末のような携帯端末においては、パーソナルコンピュータなどの外部機器との通信のためにＵＳＢ（Universal Serial Bus）等の通信ポート（外部インターフェース）を備えているものが一般的である。なお、以下においては、インターフェースという文言は、Ｉ/Ｆと略称する。
【０００３】
例えば、後に記す特許文献１には、複数の外部Ｉ／Ｆを備えたプリンタや携帯電話端末を用いる発明が開示されている。具体的には、プリンタにＵＳＢＩ／Ｆと無線通信Ｉ／Ｆと設け、ＵＳＢＩ／Ｆにはデジタルカメラを、無線通信Ｉ／Ｆには携帯電話端末を接続し、デジタルカメラの画像データをプリンタで出力する際、携帯電話端末で記録出力動作を制御する発明が記載されている。
【０００４】
なお、上述した特許文献１は以下の通りである。
【特許文献１】特開２００３−２９３６５４号公報
【発明の開示】
【発明が解決しようとする課題】
【０００５】
ところで、上述した特許文献１に記載の技術のように、種類の異なる複数のＩ/Ｆを搭載するだけでなく、同種のＩ／Ｆについて、複数のポート（接続端部）を有するものもある。図１０は、同種の外部Ｉ／Ｆのポートを２つ備えた携帯電話端末の構成の概要を示すブロック図である。
【０００６】
図１０に示すように、この例の携帯電話端末は、送受信アンテナ１、通信処理回路２、受話器（スピーカ）３、送話器（マイクロホン）４、制御部１０、キーＩ／Ｆ２１、キー操作部２２、外部Ｉ／Ｆ回路３１、Ｉ／Ｆ端部３２、Ｉ／Ｆ端部３３を有するものである。Ｉ／Ｆ端部３２とＩ／Ｆ端部３３とが、同じ外部Ｉ／Ｆ回路３１に接続される２つのポートである。
【０００７】
そして、通信処理回路２は、図示しないが、アンテナ共用器、受信回路、送信回路、局発部、ベースバンド処理部、コーデックなどを備え、通信回線を接続して、相手先からのデジタル音声信号を送受信アンテナ１を通じて受信して復調し、これをデコードして受話器３に供給して、受話器３から相手先の音声を放音するとともに、送話器４を通じて集音したアナログ音声信号をデジタル音声信号に変換し、これから送信信号を形成して送受信アンテナ１を通じて送信することができるものである。
【０００８】
制御部１０は、この携帯情報端末の各部を制御するものであり、ＣＰＵ（Central Processing Unit）１１、ＲＯＭ（Read Only Memory）１２、ＲＡＭ（Random Access Memory）１３、ＥＥＰＲＯＭ（Electrically Erasable and Programmable ROM）１４が、ＣＰＵバス１５を通じて接続されて構成されたマイクロコンピュータである。
【０００９】
この制御部１０に対して、ユーザーからの操作入力を受け付けるキー操作部２２が、キーＩ／Ｆ２１を通じて接続されている。これにより、制御部１０は、キー操作部２２を通じてユーザー（使用者）からの指示入力を受け付け、これに応じて通信処理回路を制御し、ユーザーの指示に応じた処理を行うことができるようにしている。
【００１０】
なお、ここでは説明を簡単にするために、通話を行う場合について説明したが、通話以外にも種々の機能を有している。例えば、図１０には図示しないが、比較的に大きな表示画面を有するＬＣＤ（Liquid Crystal Display）などの表示部を備え、インターネットに接続し、インターネットを通じて種々の情報の提供を受けて、これを表示部の表示画面に表示して利用するようにしたり、自機宛の電子メールを取得して、これを表示部に表示したり、送信する電子メールを作成して、これを送信したりするなどのこともできるものである。
【００１１】
そして、図１０に示したように、この例の携帯電話端末においては、外部Ｉ／Ｆ回路３１に対して、２つのポート（Ｉ／Ｆ端部３３、Ｉ／Ｆ端部３４）を備えることにより、異なる外部機器を外部Ｉ／Ｆ回路３１に接続することができるようにしている。しかし、２つのポートに同時に外部機器が接続されたとしても、通信を行う相手先は必ず１つであるので、接続端部の切り替えなどは特に必要はない。
【００１２】
しかしながら、近年においては、利便性の向上のため、同種類のＩ／Ｆ回路のポートであるが、ケーブルを直接接続するポートに加えて、ケーブルを挿さずとも携帯端末をクレードルに置くだけで外部機器との間で通信ができるようなクレードルポートを備えるものも多くなってきている。
【００１３】
この場合、ケーブルを直接接続するポートは、ケーブルが直接接続されることもあり、比較的に高速な通信規格（例えば、ＵＳＢ  Ｈｉｇｈ  Ｓｐｅｅｄ、４８０Ｍｂｐｓ）のものであり、一方、クレードルポートは、比較的に低速な通信規格（例えば、ＵＳＢ  Ｆｕｌｌ  Ｓｐｅｅｄ、１２Ｍｂｐｓ）のものである。
【００１４】
このような場合、何れのポートを通じても通信が可能な状態にしておくと、ケーブルを直接接続するポートを通じて外部機器とデータ通信を行うようにする場合に、クレードルポートを通じてノイズ（例えば信号の反射や不要な容量成分）が混入し、高速かつ高品位なデータ通信を行うことができなくなる可能性があると考えられる。また、例えば、クレードルポートなどの非接触ポートを通じて外部機器とデータ通信を行うようにする場合には、非接触部分が介在し、また、通信経路が長くなるなどのこともあり、できれば他の同種のポートからのノイズ等の影響は受けたくない。
【００１５】
また、直接接続のポートと非接触のポートとが設けられる場合に限らず、直接接続のポートが複数設けられる場合であっても、相互に影響し合うことを防止し、常時、高品位な高速通信を行えるようにしておくことが望まれる。
【００１６】
以上のことに鑑み、この発明は、外部Ｉ／Ｆに複数のポート（接続端部）が設けられている場合であっても、通信品質を劣化させることなく、外部Ｉ／Ｆのポートを通じて接続される外部機器との間で確実に通信を行えるようにすることを目的とする。
【課題を解決するための手段】
【００１７】
上記課題を解決するため、請求項１に記載の発明の接続端部切り替え装置は、
外部機器との少なくとも２つ以上の接続端部と、
前記２つ以上の接続端部の内の１つを選択して後段の回路に接続するように切り替える切り替え手段と、
前記２つ以上の接続端部の何れに外部機器が接続されたかを検出して、外部機器が接続された接続端部を、後段の回路に接続するように、前記切り替え手段を制御する切り替え制御手段と
を備えることを特徴とする。
【００１８】
この請求項１に記載の接続端部切り替え装置によれば、外部機器が接続される２つ以上の接続端部のそれぞれは、切り替え制御手段によって制御される切り替え手段を通じて後段の回路に接続するようにされている。そして、切り替え制御手段は、どの接続端部に外部機器が接続されたかを検出し、この検出結果に基づいて、切り換え手段を制御し、実際に外部機器が接続された接続端部が切り替え手段を通じて後段の回路に接続するようにされる。
【００１９】
これにより、２以上の接続端部が設けられている場合であっても、実際に外部機器が接続された接続端部だけが切り替え手段を通じて後段の回路に接続され、外部機器が接続されていない接続端部からのノイズも漏れこみを防止し、接続された外部機器との間で、適切に通信を行う環境を整えることができる。
【００２０】
また、請求項２に記載の発明の接続端部切り替え装置は、請求項１に記載の接続端部切り替え装置であって、
前記２つ以上の接続端部の内、少なくとも１つが高速な通信を行う高速通信規格に対応するものであり、他の１つが低速な通信を行う低速通信規格に対応するものであることを特徴とする。
【００２１】
この請求項２に記載の発明の接続端部切り替え装置によれば、２つ以上の接続端部のうちの少なくとも１つは、例えば、インターフェースケーブルが直接接続される高速なデータの送受が可能な高速な通信規格の接続端部であり、他の少なくとも１つは、例えば、クレードルポートなどの、非接触で外部機器が接続するようにされて低速ではあるが容易に外部機器との間でデータの送受を可能にする低速な通信規格の接続端部とされる。
【００２２】
これにより、どの接続端部に外部機器が接続されてデータ通信を行うようにする場合であっても、外部機器が接続された接続端部以外の接続端部は、切り替え手段によって後段の回路には接続されないので、外部機器が接続される接続端部以外の接続端部の影響を確実に除去することができるようにされる。
【００２３】
また、請求項３に記載の発明の接続端部切り替え装置は、請求項１に記載の接続端部切り替え装置であって、
前記２つ以上の接続端部のそれぞれは、接続される外部機器から所定の識別信号の供給を受ける所定の信号ラインを備えるものであり、
前記切り替え制御手段は、前記２つ以上の接続端部のそれぞれの前記所定の信号ラインを通じて前記所定の識別信号の供給を受けている接続端部を、外部機器が接続された接続端部として認識し、これに応じて前記切り替え手段を制御することを特徴とする。
【００２４】
この請求項３に記載の発明の接続端部切り替え装置によれば、接続端部は外部機器からの所定の識別信号の供給を受ける所定の信号ラインを備えており、切り替え制御手段は、当該所定の信号ラインを通じて外部機器から所定の識別信号の供給を受けている接続端部を外部機器が接続された接続端部として認識することができるようにされる。
【００２５】
これにより、外部機器が接続された接続端部を確実に認識（検出）して、これに応じて切り替え手段を適切に制御し、外部機器が接続された接続端部だけを後段の回路と接続するように切り替え制御することができるようにされる。したがって、外部機器が接続されていない接続端部からのノイズも漏れこみを防止し、接続された外部機器との間で、適切に通信を行う環境を整えることができるようにされる。
【００２６】
また、請求項４に記載の発明の接続端部切り替え装置は、請求項１に記載の接続端部切り替え装置であって、
前記２つ以上の接続端部のそれぞれは、接続される外部機器から駆動電源の供給を受ける電源ラインを備えるものであり、
前記切り替え制御手段は、前記２つ以上の接続端部のそれぞれの前記電源ラインを通じて駆動電源の供給を受けている接続端部を、外部機器が接続された接続端部として認識し、これに応じて前記切り替え手段を制御することを特徴とする。
【００２７】
この請求項４に記載の発明の接続端部切り替え装置によれば、接続端部は外部機器から駆動電源の供給を受ける電源ラインを備えており、切り替え制御手段は、当該電源ラインを通じて駆動電源の識別信号の供給を受けている接続端部を外部機器が接続された接続端部として認識することができるようにされる。
【００２８】
これにより、外部機器が接続された接続端部を確実に認識（検出）して、これに応じて切り替え手段を適切に制御し、外部機器が接続された接続端部だけを後段の回路と接続するように切り替え制御することができるようにされる。したがって、外部機器が接続されていない接続端部からのノイズも漏れこみを防止し、接続された外部機器との間で、適切に通信を行う環境を整えることができるようにさえる。
【００２９】
また、請求項５に記載の発明の接続端部切り替え装置は、請求項１に記載の接続端部切り替え装置であって、
携帯機器における外部機器とのインターフェース手段として用いられることを特徴とする。
【００３０】
この請求項５に記載の発明の接続端部切り替え装置によれば、当該接続端部切り替え装置は、携帯機器に設けられるインターフェース手段として用いるようにされる。
【００３１】
これにより、携帯機器に同種の複数の外部インターフェース（同種の複数の接続端部）を設けるようにしても、これを適切に使い分け、外部機器が接続されていない接続端部からのノイズも漏れこみを防止し、接続された外部機器との間で、適切に通信を行う環境を整えることができるようにされる。
【００３２】
携帯機器は、家庭などにおいては、パーソナルコンピュータなどの外部機器に接続され、データ通信を行うことも多いので、その利便性、信頼性を高めることができるようにされる。
【発明の効果】
【００３３】
同種の外部Ｉ／Ｆの複数のポート（接続端部）が設け設けられている場合であっても、通信品質を劣化させることなく、外部Ｉ／Ｆのポートを通じて接続される外部機器との間で確実に通信を行えるようにすることができる。
【発明を実施するための最良の形態】
【００３４】
以下、図を参照しながら、この発明による装置、方法の一実施の形態について説明する。なお、以下においては、この発明による装置、方法を、携帯電話端末に適用した場合を例にして説明する。
【００３５】
［この発明が適用された携帯電話端末の構成について］
図１は、この実施の形態の携帯電話端末を説明するためのブロック図である。図１に示すように、送受信アンテナ１０１、アンテナ共用器１０２、受信部１０３、ベースバンド処理部１０４、コーデック１０５、受話器（スピーカ）１０６、送話器（マイクロホン）１０７、送信部１０８、局発部１０９、制御部１２０、キーＩ／Ｆ１３１、キー操作部１３２、ＬＣＤ（Liquid Crystal Display）１４１、リンガ１４２、バイブレータ１４３、外部Ｉ／Ｆ部１５０を備えたものである。
【００３６】
まず、制御部１２０と、これに接続されるキーＩ／Ｆ１３１、キー操作部１３２、ＬＣＤ（Liquid Crystal Display）１４１、リンガ１４２、バイブレータ１４３、外部Ｉ／Ｆ部１５０について説明する。
【００３７】
制御部１２０は、この実施の形態の携帯電話端末の各部を制御するものであり、ＣＰＵ１２１、ＲＯＭ１２２、ＲＡＭ１２３、ＥＥＰＲＯＭ１２４が、ＣＰＵバス１２５を通じて形成されたマイクロコンピュータである。
【００３８】
ここで、ＣＰＵ１２１は、制御の主体となるものであり、後述するＲＯＭ１２２などに記憶保持されているプログラムを実行し、各部に供給する制御信号を形成して、これを各部に供給したり、各部からの信号を受け付けて、これを処理したりする。ＲＯＭ１２２は、上述もしたように、ＣＰＵ１２１によって実行される種々のプログラムやフォントデータなどの処理に必要になる各種のデータを記憶保持しているものである。
【００３９】
ＲＡＭ１２３は、各種の処理において途中結果を一時記憶するなど、主に作業領域として用いられるものである。ＥＥＰＲＯＭ１２４は、いわゆる不揮発性メモリであり、この携帯電話端末の電源が落とされても保持しておくべき情報、例えば、各種の設定パラメータ、電話帳データ、電子メールデータ、新たに提供されたプログラムなどを記憶保持するものである。
【００４０】
このような制御部１２０に対しては、図１に示すように、キーＩ／Ｆ１３１を通じてキー操作部１３２が接続されている。キー操作部１３２は、図示しないが、テンキーや各種のファクションキー、回動操作と押下操作とが可能なジョグダイヤルキーなどの複数の操作キーが設けられたものであり、ユーザーからの操作入力を受け付けるものである。
【００４１】
そして、キー操作部１３２を通じて受け付けた使用者からの操作入力は、電気信号に変換されて制御部１２０に供給される。これにより、制御部１２０は、ユーザーからの指示に応じて各部を制御し、ユーザーの指示に応じた処理を行うことができるようにしている。
【００４２】
また、制御部１２０に対しては、種々の表示情報を表示するためのＬＣＤ１４１と、リンガ１４２と、バイブレータ１４３とが接続されている。ＬＣＤ１４１はＬＣＤコントローラを含むものであり、制御部１２０からの制御信号に応じて、種々の表示情報をＬＣＤ１４１の表示画面に表示させることができるものである。
【００４３】
また、リンガ１４２はリンガコントローラを備え、制御部１２０からの制御信号に応じて、警告音や着信音を放音することができるものである。また、バイブレータ１４３はバイブレータコントローラを備え、着信を振動により通知したりするなどのことができるようにしている。
【００４４】
さらに、制御部１２０に対しては、外部Ｉ／Ｆ部１５０が接続されている。この外部Ｉ／Ｆ部１５０は、この発明の適用部分であり、２つのＩ／Ｆ端部（接続ポート（コネクタ部））１５１Ａ、１５１Ｂと、スイッチ部１５２と、外部Ｉ／Ｆ回路１５３とからなるものである。スイッチ部１５２は、詳しくは後述するが、２つの接続端部の内、どちらを後段の外部Ｉ／Ｆ回路１５３に接続するかを切り換えるものである。
【００４５】
外部Ｉ／Ｆ回路１５３は、スイッチ部１５２を通じて接続されたＩ／Ｆ端部からのデータを、この実施の形態の携帯電話端末において処理可能な形式に変換して、これを制御部１２０に供給したり、また、この実施の形態の携帯電話端末から、スイッチ部１５２を通じて接続されたＩ／Ｆ端部に接続されている外部機器に供給する形式のデータを形成し、これを出力するようにしたりするものである。
【００４６】
次に、この実施の形態の携帯電話端末の受信系について説明する。送受信アンテナ１０１を通じて受信した受信信号は、アンテナ共用器１０２を通じて受信部１０３に供給される。受信部１０３は、受信信号が適正なレベルになるように、必要な帯域制限、ＡＧＣ（Automatic Gain Control）を行なうとともに、局発部（周波数シンセサイザ）１０９からの信号に基づいて、受信信号の周波数を一定の周波数にするなどの処理を行って、処理後の信号をベースバンド処理部１０４に供給する。
【００４７】
ベースバンド処理部１０４は、受信部１０３からの信号をＡ／Ｄ変換し、フェージングなどの影響除去や、受信した信号の種別判別、デ・インターリーブ、エラー訂正を行ない、適切な復号処理を行って、音声データとその他の通信データとを分離する。そして、音声データは、ＤＳＰ（Digital Signal Processor）の構成とされたコーデック１０５に供給され、その他の通信データである、例えば、各種の制御情報や文字データなどは、制御部１２０に供給される。
【００４８】
コーデック１０５は、ベースバンド処理部１０４からの音声データをＤ／Ａ変換してアナログ音声信号を形成し、これをスピーカ１０６に供給する。スピーカ１０６は、コーデック１０５からのアナログ音声信号により駆動され、受信信号に応じた音声を放音する。
【００４９】
一方、ベースバンド処理部１０４から制御部１２０に供給された通信データは、この実施の形態の携帯電話端末用の制御データや文字データなどの場合には、制御部１２０のＲＡＭ１２３に一時記憶されて、この携帯電話端末において使用される。また、それ以外の通信データは、例えば、この携帯電話端末に接続されたパーソナルコンピュータなどの外部の電子機器(外部装置)に供給することもできるようにされる。
【００５０】
次に、この実施の形態の携帯電話端末の送信系について説明する。マイクロホン１０７は、収音した音声をアナログ音声信号に変換し、これをコーデック１０５に供給する。コーデック１０５は、マイクロホン１０７からのアナログ音声信号をＡ／Ｄ変換して、デジタル音声信号を形成し、これをベースバンド処理部１０４に供給する。
【００５１】
ベースバンド処理部１０４は、コーデック１０５からのデジタル音声信号を所定の符号化方式で符号化して圧縮し、所定のブロックにまとめる。またベースバンド処理部１０４は、制御部１２０を通じて供給される外部Ｉ／Ｆ部１５０を通じて受け付けた外部装置からの送信用のデジタルデータやキー操作部１３２を通じて受け付けた送信用のデジタルデータ等についても所定のブロックにまとめることができるものである。ベースバンド処理部１０４は、圧縮されたデジタル音声信号や外部装置等からの送信用のデジタルデータをまとめ、送信部１０８に供給する。
【００５２】
送信部１０８は、ベースバンド処理部１０４からのデジタルデータから変調信号を形成し、この変調信号を所定の送信周波数に変換するために、変調信号と、局発部１０９からの変換用の信号とを混合して、送信用変調信号を形成する。この送信部１０８において形成された送信用変調信号は、アンテナ共用器１０２を経由して、送受信アンテナ１０１から送信される。
【００５３】
このような受信系および送信系を備えたこの実施の形態の携帯電話端末においては、待ち受け受信時（待ち受け時）においては、制御部１２０は、ベースバンド処理部１０４からの受信信号を監視することにより、自機への着信を検出する。そして、制御部１２０は、自機への着信を検出した場合には、リンガ１４２を制御して、呼び出し音（リンガ音）を放音したり、バイブレータ１４３を振動させたりすることにより、自機への着信を当該携帯電話端末の使用者に通知する。
【００５４】
そして、携帯電話端末の使用者が、この実施の形態の携帯電話端末１に設けられているテンキーや各種のファンクションキーなどを有するキー操作部１３２に設けられている通話開始キーを押下するなどのオフフック操作を行なうことにより、着信に応答した場合には、制御部１２０は、送信系を通じて、接続応答を送出するなどして通信回線を接続し、前述したように、受信系、送信系の動作によって通話が可能となる。
【００５５】
また、この実施の形態の携帯電話端末から発呼する場合には、前述のキー操作部１３２の通話開始キーを押下するなどのオフフック操作を行った後、キー操作部１３２のダイヤルキーを通じて、また、予め登録された電話帳データから相手先の電話番号を選択することにより、ダイヤル動作を行なうようにする。
【００５６】
これにより、制御部１２０は、発呼要求を形成し、送信系を通じて送信することにより、目的とする相手先の電話端末との間に通信回線を接続するようにする。そして、相手先からの着信応答が返信されてきて、通信回線の接続を確認すると、前述したように、受信系、送信系の動作によって通話が可能となる。
【００５７】
また、この実施の形態の携帯電話端末は、インターネットに接続が可能なものであり、例えば、電話会社が提供するプロバイダ機能を通じて、ＵＲＬ（Ｕｎｉｆｏｒｍ  Ｒｅｓｏｕｒｃｅ  Ｌｏｃａｔｏｒｓ）を入力して送信することにより、Ｗｅｂページなどの情報を得て、この情報を、制御部１２０を通じてＬＣＤ１４１に表示したりすることもできるようにしている。
【００５８】
また、この実施の形態の携帯電話端末は、キー操作部１３２、ＬＣＤ１４１を通じて情報を入力して、送信用の電子メールデータをＥＥＰＲＯＭ１２４に作成し、これをインターネットを通じて目的とする相手先のメールサーバに送信したり、また、自機宛の電子メールをメールサーバから受信してＥＥＰＲＯＭ１２４に格納し、これをＬＣＤ１４１に表示して利用したりするなどのこともできるものである。
【００５９】
このように、この実施の形態の携帯電話端末は、携帯電話ネットワークやインターネットなどの広域ネットワークを通じて、電話通信やデータ通信を行うことができるものである。
【００６０】
そして、以下に詳述するように、この実施の形態の携帯電話端末の外部Ｉ／Ｆ部１５０は、上述もしたように、２つのＩ／Ｆ端部１５１Ａ、１５１Ｂを備えているが、スイッチ部１５２が、Ｉ／Ｆ端部１５１ＡとＩ／Ｆ端部１５１Ｂとのどちらに外部機器が接続するようにされたかを判別し、外部機器が接続されたＩ／Ｆ端部だけを後段の外部Ｉ／Ｆ回路１５３に接続することができるようにしている。
【００６１】
なお、外部Ｉ／Ｆ部１５０としては、種々の規格のＩ／Ｆを用いることが可能であるが、この実施の形態においては、ＵＳＢ規格のものである場合を例にして説明することとする。
【００６２】
［外部Ｉ／Ｆ部１５０について］
図２は、図１に示した携帯電話端末の外部Ｉ／Ｆ端部１５０を説明するための図である。図１を用いて説明したように、外部Ｉ／Ｆ部１５０は、大きく分けると、２つのＩ／Ｆ端部１５１Ａ、１５１Ｂと、スイッチ部１５２と、外部Ｉ／Ｆ回路１５３とからなっている。そして、スイッチ部１５２は、図２に示すように、スイッチ回路１５２１と、スイッチ制御部１５２２とを備えるものである。
【００６３】
そして、ＵＳＢ規格のデジタルＩ／Ｆは、大きく分けると、データライン（Ｄ＋、Ｄ−）と電源ライン（ＶＢＵＳ）と、グランドライン（ＧＮＤ）とを備えている。この実施の形態においては、電源ライン（ＶＢＵＳ）を外部機器が接続されたか否かを検出するための識別ラインとして用いるようにしている。
【００６４】
すなわち、図２に示すように、Ｉ／Ｆ端部１５１Ａのデータライン（通信路）ＤＡは、スイッチ回路１５２１の入力端ａに接続され、Ｉ／Ｆ端部１５１Ａの識別ライン（ＶＢＵＳ）ＳＡは、スイッチ制御部１５２２に接続される。また、Ｉ／Ｆ端部１５１Ｂのデータライン（通信路）ＤＢは、スイッチ回路１５２１の入力端ｂに接続され、Ｉ／Ｆ端部１５１Ｂの識別ライン（ＶＢＵＳ）ＳＢは、スイッチ制御部１５２２に接続される。
【００６５】
スイッチ制御部１５２２は、これに供給される識別ラインＳＡ、ＳＢからの識別信号に基づいて、実際に外部機器が接続されているＩ／Ｆ端部を特定し、その特定したＩ／Ｆ端部と外部Ｉ／Ｆ回路１５３とを接続するように、スイッチ回路１５２１を切り換えるためのスイッチ信号（切り替え制御信号）ＳＷを形成し、これをスイッチ回路１５２１に供給する。また、スイッチ制御部１５２２は、供給を受けた識別ラインＳＡからの識別信号を、または、識別ラインＳＢからの識別信号をそのまま外部Ｉ／Ｆ回路１５３に供給する。
【００６６】
スイッチ回路１５２１は、スイッチ制御回路１５２２からのスイッチ信号ＳＷによって切り替えられ、Ｉ／Ｆ端部１５１ＡとＩ／Ｆ端部１５１Ｂの内、実際に外部機器が接続されているＩ／Ｆ端部と外部Ｉ／Ｆ回路１５３とを接続する。したがって、実際に外部機器が接続されているＩ／Ｆ端部だけが、スイッチ回路１５２１を通じて外部Ｉ／Ｆ回路１５３と接続される。
【００６７】
これにより、外部機器が接続されていないＩ／Ｆ端部を通じて混入するノイズなどが外部Ｉ／Ｆ回路１５３に供給されることはないので、Ｉ／Ｆ端部に接続された外部機器との間で高品位に通信を行うことができるようにされる。
【００６８】
［スイッチ制御部１５２２の構成例について］
図３は、図２に示したスイッチ制御部１５２２の構成例を説明するための回路図である。図３に示すように、この例のスイッチ制御部１５２２は、並列する識別ラインである、Ｉ／Ｆ端部１５１Ａからの識別ラインＳＡと、Ｉ／Ｆ端部１５１Ｂからの識別ラインＳＢとのそれぞれにおいて、識別ラインＳＡに対しては直列にダイオード２２１を設け、識別ラインＳＢに対しては直列にダイオード２２２を設けている。
【００６９】
そして、ダイオード２２１の後段（出力端側）とダイオード２２２の後段（出力端側）とを接続することにより、ダイオード２２１、ダイオード２２２の出力信号が、外部Ｉ／Ｆ回路１５３に供給するようにされる。そして、ダイオード２２２の前段の信号、すなわち、識別ラインＳＢの識別信号をスイッチ信号ＳＷとしてスイッチ回路１５２１に供給するようになっている。また、識別ラインＳＢのダイオード２２２の前段には、オープン状態の論理を保持するためにプルダウン抵抗２２３を設けている。
【００７０】
図４は、図３に示した構成のスイッチ制御回路１５２２における真理値表を示す図である。Ｉ／Ｆ端部１５１Ａ、Ｉ／Ｆ端部１５１Ｂの何れにも外部機器が接続されていない場合には、図４の（Ａ）の欄に示すように、Ｉ／Ｆ端部１５１Ａからの識別ラインＳＡの識別信号も、Ｉ／Ｆ端部１５１Ｂからの識別ラインＳＢの識別信号も、何れも値が「０（ローレベル）」の信号である。この場合、外部Ｉ／Ｆ回路１５３への出力識別信号も、また、スイッチ信号ＳＷも、何れも値が「０（ローレベル）」の信号となる。
【００７１】
そして、この実施の形態の携帯電話端末の場合、スイッチ信号ＳＷが、値「０（ローレベル）」の信号であるときには、スイッチ回路１５２１は、入力端ａ側に切り換えられるようにされる。この実施の形態の携帯電話端末においては、スイッチ回路１５２１の入力端ａ側が、いわゆるホームポジションとなっている。
【００７２】
また、Ｉ／Ｆ端１５１Ｂにだけ外部機器が接続されたとする。この場合には、図４の（Ｂ）の欄に示すように、Ｉ／Ｆ端部１５１Ａからの識別ラインＳＡの識別信号は値が「０（ローレベル）」であるが、Ｉ／Ｆ端部１５１Ｂからの識別ラインＳＢの識別信号は値が「１（ハイレベル）」の信号となる。この場合、図２に示した構成を有するスイッチ制御部１５２２の場合、外部Ｉ／Ｆ回路１５３への出力識別信号も、また、スイッチ信号ＳＷも、何れも値が「１（ハイレベル）」の信号となる。
【００７３】
そして、この実施の形態の携帯電話端末の場合、スイッチ信号ＳＷが値「１（ハイレベル）」の信号であるときには、スイッチ回路１５２１は、入力端ｂ側に切り換えられるようにされる。このように、Ｉ／Ｆ端部１５１Ｂに外部機器が接続された場合には、スイッチ回路１５２１は、入力端ｂ側に切り替えられ、Ｉ／Ｆ端部１５１Ｂが、外部Ｉ／Ｆ回路１５３と接続するようにされる。
【００７４】
また、Ｉ／Ｆ端１５１Ａにだけ外部機器が接続されたとする。この場合には、図４の（Ｃ）の欄に示すように、Ｉ／Ｆ端部１５１Ａからの識別ラインＳＡの識別信号は、値が「１（ハイレベル）」となるが、Ｉ／Ｆ端部１５１Ｂからの識別ラインＳＢの識別信号は、値が「０（ローレベル）」の信号となる。この場合、図２に示した構成を有するスイッチ制御部１５２２の場合、外部Ｉ／Ｆ回路１５３への出力識別信号は、値が「１（ハイレベル）」となるが、Ｉ／Ｆ端部１５１Ｂからの識別ラインＳＢの識別信号は、値が「０（ローレベル）」の信号となる。
【００７５】
そして、この実施の形態の携帯電話端末の場合、スイッチ信号ＳＷが値「０（ローレベル）」の信号であるときには、上述もしたように、スイッチ回路１５２１は、入力端ａ側に切り換えられるようにされる。このように、Ｉ／Ｆ端部１５１Ａに外部機器が接続された場合には、スイッチ回路１５２１は、入力端ａ側に切り替えられ、Ｉ／Ｆ端部１５１Ａが、外部Ｉ／Ｆ回路１５３と接続するようにされる。
【００７６】
また、図４の（Ｄ）の欄に塗りつぶして示すように、通常は発生しない状況であるが、Ｉ／Ｆ端部１５１ＡとＩ／Ｆ端部１５１Ｂとの双方に外部機器が接続された場合には、Ｉ／Ｆ端部１５１Ａからの識別ラインＳＡの識別信号も、Ｉ／Ｆ端部１５１Ｂからの識別ラインＳＢの識別信号も、何れも値が「１（ハイレベル）」の信号となる。この場合、外部Ｉ／Ｆ回路１５３への出力識別信号も、また、スイッチ信号ＳＷも、何れも値が「１（ハイレベル）」の信号となる。
【００７７】
そして、この実施の形態の携帯電話端末の場合、上述もしたように、スイッチ信号ＳＷが、値「１（ハイレベル）」の信号であるときには、スイッチ回路１５２１は、入力端ｂ側に切り換えられるようにされる。すなわち、この実施の形態の携帯電話端末の場合には、Ｉ／Ｆ端部１５１ＡとＩ／Ｆ端部１５１Ｂとの両方に外部機器が接続するようにされた場合には、Ｉ／Ｆ端部１５１Ｂが優先的に外部Ｉ／Ｆ回路１５３と接続するようにされる。
【００７８】
このように、この実施の形態の携帯電話端末においては、外部機器が接続されたＩ／Ｆ端部を正確に検出し、外部機器が接続されているＩ／Ｆ端部だけを外部Ｉ／Ｆ回路１５３に接続することができるようにしている。これにより、外部機器が接続されていないＩ／Ｆ端部を通じて漏れ込んでくるノイズなどの不要な信号が外部Ｉ／Ｆ回路１５３に供給されてしまうことを確実に防止し、Ｉ／Ｆ端部に接続された外部機器との間で高品位に通信を行うことができるようにされる。
【００７９】
［外部Ｉ／Ｆ部１５０の具体的な適用例について］
次に、図２〜図４を用いて説明した外部Ｉ／Ｆ部１５０の具体的な適用例について説明する。図５は、この実施の形態の携帯電話端末の外部Ｉ／Ｆ部１５０の好適な適用例について説明するためのブロック図である。携帯電話端末には、ユーザーの利便性を考慮して、同種の外部Ｉ／Ｆであっても、ケーブル接続用の高速な通信規格に対応するＩ／Ｆ端部と、非接触接続用の低速な通信規格に対応するＩ／Ｆ端部とが設けられる場合がある。
【００８０】
図５において、Ｉ／Ｆ端部１５１Ａが、ケーブル接続用の高速な通信規格に対応するＩ／Ｆ端部であり、Ｉ／Ｆ端部１５１Ｂが、非接触接続用の低速な通信規格に対応するＩ／Ｆ端部である。したがって、Ｉ／Ｆ端部１５１Ａには、直接にＩ／Ｆケーブルが接続されるのに対して、Ｉ／Ｆ端部１５１Ｂは、図５に示すように、例えばＰＣ（パーソナルコンピュータ）等に接続されたいわゆるクレードル装置２００との間で無線により接続される構成となっている。このように、図５に示した外部Ｉ／Ｆ部１５０は、各Ｉ／Ｆ端部の利用形態を特定した点を除き、その他の部分は、図２に示した外部Ｉ／Ｆ部１５０と同様に構成されたものである。
【００８１】
そして、Ｉ／Ｆ端部１５１Ａにだけ外部機器が接続されている場合には、図３、図４を用いて上述したように、スイッチ制御部１５２２の機能により、スイッチ回路１５２１は、入力端ａ側に切り替えられるので、Ｉ／Ｆ端部１５１Ａに接続された外部機器と、外部Ｉ／Ｆ回路１５３とを接続することができる。
【００８２】
また、この場合、Ｉ／Ｆ端部１５１Ｂが外部Ｉ／Ｆ回路１５３と接続されることはないので、非接触のＩ／Ｆ端部１５１Ｂから混入する可能性のあるノイズを外部Ｉ／Ｆ回路１５３には供給することがないようにされる。これにより、ケーブル接続用の高速な通信規格に対応するＩ／Ｆ端部１５１Ａに接続された外部機器との間で高品位に通信を行うことができるようにされる。
【００８３】
逆に、Ｉ／Ｆ端部１５１Ｂにだけ外部機器が接続されている場合には、図３、図４を用いて上述したように、スイッチ制御部１５２２の機能により、スイッチ回路１５２１は、入力端ｂ側に切り替えられるので、Ｉ／Ｆ端部１５１Ｂに非接触で接続するようにされる外部機器と、外部Ｉ／Ｆ回路１５３とを接続することができる。
【００８４】
この場合、Ｉ／Ｆ端部１５１Ａが外部Ｉ／Ｆ回路１５３と接続されることはないので、たとえＩ／Ｆ端部１５１Ａからノイズが混入したとしても、当該ノイズは外部Ｉ／Ｆ回路１５３には供給されることはないので、非接触で接続される外部機器との間においても良好に通信を行うことができるようにされる。
【００８５】
なお、図５において、Ｉ／Ｆ端部１５１Ｂを通じて非接触で外部機器と接続され、当該外部機器と通信を行うようにする場合には、クレードル装置２００が介在するなど通信路が長くなると共に、クレードル装置２００自身の通信路の影響（クレードル装置２００自身の通信能力の影響等）により通信品質の確保が難しくなる場合もあると考えられる。
【００８６】
そこで、スイッチ回路１５２１が、入力端ｂ側に切り替えられた場合には、通信速度を落とすようにしたり、より低速な通信規格を用いて通信を行うようにしたりすることもできる。具体的には、スイッチ信号ＳＷを外部Ｉ／Ｆ回路１５３にも供給する。これにより、外部Ｉ／Ｆ回路１５３も、スイッチ回路１５２１が、入力端ａと入力端ｂとのどちらに切り替えられたかを知ることができる。
【００８７】
そして、入力端ｂ側に切り替えられたことを把握した場合には、外部Ｉ／Ｆ回路１５３は、自己における通信速度を落とすようにしたり、より低速な通信規格を用いたりするなどのことができる。このように、外部Ｉ／Ｆ回路１５３は、何れのＩ／Ｆ端部と接続されたかに応じて、通信速度や通信規格を変更することができるものである。
【００８８】
また、スイッチ信号ＳＷを外部Ｉ／Ｆ回路１５３を通じて制御部１２０に供給し、これに応じて制御部１２０が、外部Ｉ／Ｆ回路１５３における通信速度や通信規格を制御するように構成することもできる。
【００８９】
［外部Ｉ／Ｆ部１５０のＩＣ（Integrated Circuit）化について］
なお、図２、図５に示した外部Ｉ／Ｆ部１５０において、Ｉ／Ｆ端部１５１Ａ、１５１Ｂ以外の部分は、図６において外部Ｉ／Ｆ・ＩＣ１６０が示すように、いわゆるワンチップＩＣとして形成することができる。すなわち、スイッチ回路１５２１とスイッチ制御部１５２２とからなるスイッチ部１５２と、外部Ｉ／Ｆ回路１５３とからなる部分は、ワンチップＩＣとして構成することができる。
【００９０】
これにより、携帯電話端末をはじめとする種々の携帯端末や、外部Ｉ／Ｆが搭載される種々の電子機器の外部Ｉ／Ｆ部分に適用することができるようにされる。
【００９１】
なお、上述した実施の形態の外部Ｉ／Ｆ部１５０の場合には、図４を用いて説明したように、Ｉ／Ｆ端部１５１ＡとＩ／Ｆ端部１５１Ｂの何れにも外部機器が接続されていない場合には、スイッチ回路１５２１において入力端ａを選択し、Ｉ／Ｆ端部１５１ＡとＩ／Ｆ端部１５１Ｂの両方に外部機器が接続された場合には、スイッチ回路１５２１において入力端ｂを選択するものとして説明した。しかし、これに限るものではない。
【００９２】
例えば、識別ラインＳＡの識別信号と識別ラインＳＢの識別信号とをスイッチ回路１５２１に供給するようにする。そして、Ｉ／Ｆ端部１５１ＡとＩ／Ｆ端部１５１Ｂの何れのも外部機器が接続されておらず、識別ラインＳＡの識別信号と識別ラインＳＢの識別信号との両方の値が「０（ローレベル）」の場合には、スイッチ回路１５２１においては、入力端ａ、ｂの何れをも選択しないようにする。このようにすれば、未使用のＩ／Ｆ端部１５１Ａ、１５１Ｂの何れからのノイズの混入も防止することができる。
【００９３】
また、Ｉ／Ｆ端部１５１ＡとＩ／Ｆ端部１５１Ｂとの両方に外部機器が接続され、識別ラインＳＡの識別信号と識別ラインＳＢの識別信号との両方の値が「１（ハイレベル）」の場合には、スイッチ回路１５２１においては、入力端ａ、ｂの両方を選択するようにし、Ｉ／Ｆ端部１５１ＡとＩ／Ｆ端部１５１Ｂとの両方を、外部Ｉ／Ｆ回路１５３に接続するようにする。
【００９４】
この場合には、従来と同様の態様となり、通信の品位が劣化する可能性があるものの、Ｉ／Ｆ端部１５１ＡとＩ／Ｆ端部１５１Ｂとに接続された外部機器の内、目的とする外部機器との間で通信を行えるようにすることも可能である。しかし、通常の使用態様であるＩ／Ｆ端部１５１ＡとＩ／Ｆ端部１５１Ｂとの内のいずれか一方に外部機器が接続された場合には、上述もしたように、外部機器が接続されていないＩ／Ｆ端部は、外部Ｉ／Ｆ回路１５３とは接続されることはないので、高品位な通信を行うことができるようにされる。
【００９５】
［外部Ｉ／Ｆ部１５０の他の例について］
上述した実施の形態の携帯電話端末において、外部Ｉ／Ｆ部１５０は、２つのＩ／Ｆ端部１５１Ａ、１５１Ｂを備えるものとして説明した。しかし、これに限るものではない。Ｉ／Ｆ端部は、２つ以上であれば基本的にいくつあっても良い。以下においては、１つの外部Ｉ／Ｆ回路１５３に対して４つのＩ／Ｆ端部が設けられる場合について説明する。
【００９６】
図７〜図９は、Ｉ／Ｆ端部を４つ備えた外部Ｉ／Ｆ部１５０Ａを説明するための図である。この例の外部Ｉ／Ｆ部１５０Ａは、４つのＩ／Ｆ端部１５１Ａ、１５１Ｂ、１５１Ｃ、１５１Ｄと、スイッチ部１５２Ａと、外部Ｉ／Ｆ回路１５３とを備えたものである。スイッチ部１５２Ａは、図７に示すように、４つの入力端ａ、ｂ、ｃ、ｄを有するスイッチ回路１５２３と、詳しくは後述もするが、スイッチ信号ＳＷＡ、ＳＷＢを形成して出力するスイッチ制御部１５２４とを備えたものである。
【００９７】
そして、図７に示すように、Ｉ／Ｆ端部１５１Ａのデータライン（通信路）ＤＡは、スイッチ回路１５２３の入力端ａに接続され、Ｉ／Ｆ端部１５１Ａの識別ライン（ＶＢＵＳ）ＳＡは、スイッチ制御部１５２４に接続される。また、Ｉ／Ｆ端部１５１Ｂのデータライン（通信路）ＤＢは、スイッチ回路１５２３の入力端ｂに接続され、Ｉ／Ｆ端部１５１Ｂの識別ライン（ＶＢＵＳ）ＳＢは、スイッチ制御部１５２４に接続される。
【００９８】
同様に、Ｉ／Ｆ端部１５１Ｃのデータライン（通信路）ＤＣは、スイッチ回路１５２３の入力端ｃに接続され、Ｉ／Ｆ端部１５１Ｃの識別ライン（ＶＢＵＳ）ＳＣは、スイッチ制御部１５２４に接続される。また、Ｉ／Ｆ端部１５１Ｄのデータライン（通信路）ＤＤは、スイッチ回路１５２３の入力端ｄに接続され、Ｉ／Ｆ端部１５１Ｄの識別ライン（ＶＢＵＳ）ＳＤは、スイッチ制御部１５２４に接続される。
【００９９】
そして、スイッチ制御部１５２４は、これに供給される識別ラインＳＡ、ＳＢ、ＳＣ、ＳＤの各識別信号に基づいて、外部機器が接続されたＩ／Ｆ端部を検出し、その外部機器が接続されたＩ／Ｆ端部だけが外部Ｉ／Ｆ回路１５３に接続されるようにスイッチ回路１５２３を切り換えるためのスイッチ信号ＳＷＡ、ＳＷＢを形成して、これらをスイッチ回路１５２３に供給する。
【０１００】
スイッチ回路１５２３は、スイッチ制御部１５２４からのスイッチ信号ＳＷＡ、ＳＷＢに基づいて、どの入力端に接続されたＩ／Ｆ端部と、後段の外部Ｉ／Ｆ１５３とを接続するかを切り替える。また、外部Ｉ／Ｆ回路１５３は、図１、図２、図５を用いて説明した外部Ｉ／Ｆ回路１５３と同様のものであり、外部機器からのデータを自機で処理可能な形式のものに変換して制御部１２０に供給したり、自機から外部機器に送信する形式のデータを形成したりするものである。
【０１０１】
このように、この例の外部Ｉ／Ｆ部１５０Ａも、４つあるＩ／Ｆ端部１５１Ａ、１５１Ｂ、１５１Ｃ、１５１Ｄの内から外部機器が接続されたＩ／Ｆ端部を検出し、そのＩ／Ｆ端部だけを外部Ｉ／Ｆ回路１５３に接続することができるようにしたものである。
【０１０２】
［スイッチ制御部１５２４の構成例について］
次に、この例の外部Ｉ／Ｆ部１５０Ａのスイッチ部１５２Ａで用いられるスイッチ制御部１５２４の構成例について説明する。図８は、この例のスイッチ制御部１５２４の構成例を説明するための回路図である。
【０１０３】
図８に示すように、Ｉ／Ｆ端部１５１Ａからの識別ラインＳＡと、Ｉ／Ｆ端部１５１Ｂからの識別ラインＳＢと、Ｉ／Ｆ端部１５１Ｃからの識別ラインＳＣと、Ｉ／Ｆ端部１５１Ｄからの識別ラインＳＤとが並列に設けられるが、識別ラインＳＡには、ダイオード２４１が、識別ラインＳＢにはダイオード２４２が、識別ラインＳＣにはダイオード２４４が、識別ラインＳＤにはダイオード２４５が、それぞれの識別ラインに対して直列に設けられる。
【０１０４】
そして、ダイオード２４１の後段（出力端側）とダイオード２４２の後段（出力端側）とが接続され、この接続点の後段に直列してダイオード２４３が設けられる。また、ダイオード２４４の後段（出力端側）とダイオード２４５の後段（出力端側）とが接続され、この接続点の後段に直列にダイオード２４６が設けられる。そして、ダイオード２４３の後段（出力端側）とダイオード２４６の後段（出力端側）とが接続され、ダイオード２４１、２４２、２４４、２４５の出力信号が、外部Ｉ／Ｆ回路１５３に供給するようにされる。そして、ダイオード２４６の出力信号が、スイッチ信号ＳＷＡとしてスイッチ回路に供給するようにされる。
【０１０５】
また、ダイオード２４２の前段の信号（識別ラインＳＢの識別信号）ＳＷ１とダイオード２４５の前段の信号（識別ラインＳＤの識別信号）ＳＷ２とが、ＯＲゲート（論理和ゲート）２４７に供給される。このＯＲゲート２４７の出力信号が、スイッチ信号ＳＷＢとしてスイッチ回路１５２３に供給される。
【０１０６】
また、識別ラインＳＢのダイオード２４２の前段には、プルダウン抵抗２４８Ａが、識別ラインＳＤのダイオード２４５の前段には、プルダウン抵抗２４８Ｂが、また、ダイオード２４６の後段には、プルダウン抵抗２４８Ｃが設けられ、オープン状態の論理を保持することができるようにしている。
【０１０７】
そして、図８に示した、この例のスイッチ制御部１５２４の場合には、Ｉ／Ｆ端部１５１Ａ、１５１Ｂ、１５１Ｃ、１５１ＤのどのＩ／Ｆ端部に外部機器が接続されているかによって、スイッチ信号ＳＷＡとスイッチ信号ＳＷＢとの組み合わせの状態が異なるようにされる。
【０１０８】
図９は、図８に示したスイッチ制御部１５２４における真理値表を示す図である。図９の真理値表の１行目に示すように、Ｉ／Ｆ端部１５１Ａだけに外部機器が接続され、その他のＩ／Ｆ端部１５１Ｂ、１５１Ｃ、１５１Ｄには外部機器は接続されていない状態、すなわち、Ｉ／Ｆ端部１５１Ａからの識別ラインＳＡの識別信号だけが値「１（ハイレベル）」となり、それ以外のＩ／Ｆ端部１５１Ｂ、１５１Ｃ、１５１Ｄの識別ラインＳＢ、ＳＣ、ＳＤの識別信号は値「０（ローレベル）」である場合について考える。
【０１０９】
この場合には、識別ラインＳＣと識別ラインＳＤとのいわゆる合算信号であるスイッチ信号ＳＷＡは値「０（ローレベル）」の信号となる。また、この場合、スイッチ信号ＳＷ１とスイッチ信号ＳＷ２とは、何れも値「０（ローレベル）」の信号であるので、それらの論理和の信号であるスイッチ信号ＳＷＢも値「０（ローレベル）」の信号となる。
【０１１０】
このように、Ｉ／Ｆ端部１５１Ａだけに外部機器が接続され、その他のＩ／Ｆ端部１５１Ｂ、１５１Ｃ、１５１Ｄには外部機器は接続されていない状態のときには、スイッチ信号ＳＷＡとスイッチ信号ＳＷＢとは、何れも値「０（ローレベル）」の信号となる。
【０１１１】
また、図９の真理値表の２行目に示すように、Ｉ／Ｆ端部１５１Ｂだけに外部機器が接続され、その他のＩ／Ｆ端部１５１Ａ、１５１Ｃ、１５１Ｄには外部機器は接続されていない状態、すなわち、Ｉ／Ｆ端部１５１Ｂからの識別ラインＳＢの識別信号だけが値「１（ハイレベル）」となり、それ以外のＩ／Ｆ端部１５１Ａ、１５１Ｃ、１５１Ｄの識別ラインＳＡ、ＳＣ、ＳＤの識別信号は値「０（ローレベル）」である場合について考える。
【０１１２】
この場合には、識別ラインＳＣと識別ラインＳＤとのいわゆる合算信号であるスイッチ信号ＳＷＡは値「０（ローレベル）」の信号となる。また、この場合、スイッチ信号ＳＷ１は値「１（ハイレベル）」の信号となり、スイッチ信号ＳＷ２は、値「０（ローレベル）」の信号であるので、それらの論理和の信号であるスイッチ信号ＳＷＢは値「１（ハイレベル）」の信号となる。
【０１１３】
このように、Ｉ／Ｆ端部１５１Ｂだけに外部機器が接続され、その他のＩ／Ｆ端部１５１Ａ、１５１Ｃ、１５１Ｄには外部機器は接続されていない状態のときには、スイッチ信号ＳＷＡは値「０（ローレベル）」の信号となり、スイッチ信号ＳＷＢは値「１（ハイレベル）」の信号となる。
【０１１４】
また、図９の真理値表の３行目に示すように、Ｉ／Ｆ端部１５１Ｃだけに外部機器が接続され、その他のＩ／Ｆ端部１５１Ａ、１５１Ｂ、１５１Ｄには外部機器は接続されていない状態、すなわち、Ｉ／Ｆ端部１５１Ｃからの識別ラインＳＣの識別信号だけが値「１（ハイレベル）」となり、それ以外のＩ／Ｆ端部１５１Ａ、１５１Ｂ、１５１Ｄの識別ラインＳＡ、ＳＢ、ＳＤの識別信号は値「０（ローレベル）」である場合について考える。
【０１１５】
この場合には、識別ラインＳＣと識別ラインＳＤとのいわゆる合算信号であるスイッチ信号ＳＷＡは値「１（ハイレベル）」の信号となる。この場合、スイッチ信号ＳＷ１とスイッチ信号ＳＷ２とは、何れも値「０（ローレベル）」の信号であるので、それらの論理和の信号であるスイッチ信号ＳＷＢも値「０（ローレベル）」の信号となる。
【０１１６】
このように、Ｉ／Ｆ端部１５１Ｃだけに外部機器が接続され、その他のＩ／Ｆ端部１５１Ａ、１５１Ｂ、１５１Ｄには外部機器は接続されていない状態のときには、スイッチ信号ＳＷＡは値「１（ハイレベル）」の信号となり、スイッチ信号ＳＷＢは値「０（ローレベル）」の信号となる。
【０１１７】
また、図９の真理値表の４行目に示すように、Ｉ／Ｆ端部１５１Ｄだけに外部機器が接続され、その他のＩ／Ｆ端部１５１Ａ、１５１Ｂ、１５１Ｃには外部機器は接続されていない状態、すなわち、Ｉ／Ｆ端部１５１Ｄからの識別ラインＳＤの識別信号だけが値「１（ハイレベル）」となり、それ以外のＩ／Ｆ端部１５１Ａ、１５１Ｂ、１５１Ｃの識別ラインＳＡ、ＳＢ、ＳＣの識別信号は値「０（ローレベル）」である場合について考える。
【０１１８】
この場合には、識別ラインＳＣと識別ラインＳＤとのいわゆる合算信号であるスイッチ信号ＳＷＡは値「１（ハイレベル）」の信号となる。また、この場合、スイッチ信号ＳＷ１は値「０（ローレベル）」の信号とるが、スイッチ信号ＳＷ２は値「１（ハイレベル）」の信号となるため、それらの論理和の信号であるスイッチ信号ＳＷＢは値「１（ハイレベル）」の信号となる。
【０１１９】
このように、Ｉ／Ｆ端部１５１Ｄだけに外部機器が接続され、その他のＩ／Ｆ端部１５１Ａ、１５１Ｂ、１５１Ｃには外部機器は接続されていない状態のときには、スイッチ信号ＳＷＡとスイッチ信号ＳＷＢとは、共に値「１（ハイレベル）」の信号となる。
【０１２０】
以上のことをまとめると、図９に示したように、（１）スイッチ信号ＳＷＡとスイッチ信号ＳＷＢとが、何れも値「０（ローレベル）」の信号であるときには、Ｉ／Ｆ端部１５１Ａだけに外部機器が接続され、その他のＩ／Ｆ端部１５１Ｂ、１５１Ｃ、１５１Ｄには外部機器は接続されていない状態であることが分かるので、この場合には、スイッチ回路１５２３は、入力端ａに接続されたＩ／Ｆ端部１５１Ａと、外部Ｉ／Ｆ回路１５３とを接続するように切り替えるようにする。
【０１２１】
また、図９に示したように、（２）スイッチ信号ＳＷＡが値「０（ローレベル）」の信号であり、スイッチ信号ＳＷＢが値「１（ハイレベル）」の信号であるときには、Ｉ／Ｆ端部１５１Ｂだけに外部機器が接続され、その他のＩ／Ｆ端部１５１Ａ、１５１Ｃ、１５１Ｄには外部機器は接続されていない状態であることが分かるので、この場合には、スイッチ回路１５２３は、入力端ｂに接続されたＩ／Ｆ端部１５１Ｂと、外部Ｉ／Ｆ回路１５３とを接続するように切り替えるようにする。
【０１２２】
また、図９に示したように、（３）スイッチ信号ＳＷＡが値「１（ハイレベル）」の信号であり、スイッチ信号ＳＷＢが値「０（ローレベル）」の信号であるときには、Ｉ／Ｆ端部１５１Ｃだけに外部機器が接続され、その他のＩ／Ｆ端部１５１Ａ、１５１Ｂ、１５１Ｄには外部機器は接続されていない状態であることが分かるので、この場合には、スイッチ回路１５２３は、入力端ｃに接続されたＩ／Ｆ端部１５１Ｃと、外部Ｉ／Ｆ回路１５３とを接続するように切り替えるようにする。
【０１２３】
また、図９に示したように、（４）スイッチ信号ＳＷＡとスイッチ信号ＳＷＢとが共に値「１（ハイレベル）」の信号であるときには、Ｉ／Ｆ端部１５１Ｄだけに外部機器が接続され、その他のＩ／Ｆ端部１５１Ａ、１５１Ｂ、１５１Ｃには外部機器は接続されていない状態であることが分かるので、この場合には、スイッチ回路１５２３は、入力端ｄに接続されたＩ／Ｆ端部１５１Ｄと、外部Ｉ／Ｆ回路１５３とを接続するように切り替えるようにする。
【０１２４】
このように、外部Ｉ／Ｆ回路１５３に対して、４つのＩ／Ｆ端部１５１Ａ、１５１Ｂ、１５１Ｃ、１５１Ｄが設けられる場合であっても、スイッチ制御部１５２４は、どのＩ／Ｆ端部に外部機器が接続されたかを確実に検出し、これに応じて外部機器が接続されたＩ／Ｆ端部だけを外部Ｉ／Ｆ回路１５３接続することができるようにされる。これにより、外部機器が接続されていないＩ／Ｆ端部からノイズが混入するなどしても、これが外部Ｉ／Ｆ回路１５３に供給されることはないので、通信品質を劣化させることがないようにすることができる。
【０１２５】
なお、この例の場合にも、何れのＩ／Ｆ端部にも外部機器が接続されていない場合には、何れのＩ／Ｆ端部も外部Ｉ／Ｆ回路１５３に接続しないようにしたり、逆に、複数のＩ／Ｆ端部に外部機器が接続されている場合には、外部機器が接続されている複数のＩ／Ｆ端部を、外部Ｉ／Ｆ回路１５３に接続したりするように構成することもできる。
【０１２６】
しかし、上述もしたように、４つのＩ／Ｆ端部の内の何れか１つのＩ／Ｆ端部にしか外部機器が接続されていない場合には、その外部機器が接続されたＩ／Ｆ端部だけが外部Ｉ／Ｆ回路１５３に接続され、それ以外のＩ／Ｆ端部は外部Ｉ／Ｆ回路１５３には接続されないので、外部機器が接続されていないＩ／Ｆ端部を通じてノイズが混入しても、これが外部Ｉ／Ｆ回路１５３には供給されないので、通信品質を高品位に保つことができるようにされる。
【０１２７】
［その他］
なお、上述した実施の形態においては、Ｉ／Ｆ端部が２つの場合と、Ｉ／Ｆ端部が４つの場合とについて説明したが、これに限るものではない。Ｉ／Ｆ端部は２つ以上設けられる何れの場合であってもこの発明を適用することができる。要は、２つ以上のＩ／Ｆ端部が設けられている場合に、そのそれぞれを常に外部Ｉ／Ｆ回路に接続する構成ではなく、外部機器が接続されたＩ／Ｆ端部を検出して、この外部機器が接続されたＩ／Ｆ端部だけを外部Ｉ／Ｆ回路に接続するように構成すればよい。
【０１２８】
したがって、外部Ｉ／Ｆ部１５０に設けられるスイッチ制御部は、図２、図８に示したものに限るものではなく、スイッチ回路を適切に切り換えられるようにするスイッチ信号を生成することができる種々の構成のスイッチ制御部を用いるようにすることができる。
【０１２９】
また、上述した実施の形態においては、外部Ｉ／Ｆ部１５０は、ＵＳＢ規格のＩ／Ｆである場合を例にして説明したが、これに限るものではない。例えばＩＥＥＥ（Institute of Electrical and Electronics Engineers）１３９４規格のＩ／Ｆ、ＨＤＭＩ（High-Definition Multimedia Interface）規格のＩ／Ｆなど、種々のＩ／Ｆを用いる場合にこの発明を適用することができる。
【０１３０】
そして、上述した実施の形態においては、ＵＳＢ規格のＩ／Ｆの電源ライン（ＶＢＵＳ）を識別ラインとして用い、電源の供給の有無に応じて、外部機器の接続の有無を判断するようにしたが、これに限るものではない。例えば、外部機器が接続された場合に、必ず、外部機器から信号が送信される信号ラインの信号を監視し、外部機器が接続されたか否かを判断するようにすればよい。
【０１３１】
より具体的な例としては、例えば、ＨＤＭＩ規格のＩ／Ｆの場合に、相互に通信が可能な制御ラインを備えているが、当該制御ラインを通じて、携帯電話端末側から応答要求を送信し、当該制御ラインを通じて応答が返信されてきた場合に外部機器が接続されていると判断するようにするなどのことも可能である。
【０１３２】
また、上述した実施の形態においては、携帯電話端末にこの発明を適用した場合を例にして説明したが、これに限るものではない。例えば、ＰＤＡ（Personal Digital Assistants）などと呼ばれる携帯情報端末、電子手帳、パーソナルコンピュータ、デジタルカメラ、ＩＣレコーダなど、種々の電子機器に適用することができる。特に、携帯機器に適用して好適である。
【０１３３】
［方法の発明の適用について］
また、上述した実施の形態から分かるように、図１〜図４を用いて説明した実施の形態の携帯電話端末は、外部機器との少なくとも２つ以上の接続端部が、前記２つ以上の接続端部の内の１つを選択して後段の回路に接続するように切り替える切り替え手段に接続された電子機器において、前記２つ以上の接続端部の何れに外部機器が接続されたかを検出する検出工程と、前記検出工程においての検出結果に基づいて、外部機器が接続された接続端部を、後段の回路に接続するように、前記切り替え手段を制御する切り替え制御工程とを有する第１の接続端部切り替え方法が適用されたものである。
【０１３４】
また、図５を用いて説明した外部Ｉ／Ｆ部１５０の具体例が、上記の第１の接続端部切り替え方法において、前記２つ以上の接続端部の内、少なくとも１つが高速な通信を行う高速通信規格に対応するものであり、他の１つが低速な通信を行う低速通信規格に対応するものであることを特徴とする方法が適用されたものである。
【０１３５】
また、図１〜図９を用いて説明した実施の形態は、上記の第１の接続端部切り替え方法において、前記２つ以上の接続端部のそれぞれは、接続される外部機器から駆動電源の供給を受ける電源ラインを備えるものであり、前記切り替え制御工程においては、前記２つ以上の接続端部のそれぞれの前記電源ラインを通じて駆動電源の供給を受けている接続端部を、外部機器が接続された接続端部として認識し、これに応じて前記切り替え手段を制御することを特徴とする接続端部切り替え方法を適用されたものである。
【０１３６】
また、図１〜図９を用いて説明した実施の形態は、上記の第１の接続端部切り替え方法において、前記電子機器は、携帯機器であり、当該携帯端末における外部機器とのインターフェース部分に用いられる接続端部切り替え方法が適用されたものである。
【０１３７】
そして、上述もしたように、外部Ｉ／ＦはＵＳＢだけでなく種々の規格のＩ／Ｆに対応可能であり、この場合には、上記の第１の接続端部切り替え方法において、前記２つ以上の接続端部のそれぞれは、接続される外部機器から所定の識別信号の供給を受ける所定の信号ラインを備えるものであり、前記切り替え制御工程においては、前記２つ以上の接続端部のそれぞれの前記所定の信号ラインを通じて前記所定の識別信号の供給を受けている接続端部を、外部機器が接続された接続端部として認識し、これに応じて前記切り替え手段を制御することを特徴とする接続端部切り替え方法が適用可能である。
【図面の簡単な説明】
【０１３８】
【図１】この発明の一実施の形態が適用された携帯電話端末を説明するためのブロック図である。
【図２】図１に示した外部Ｉ／Ｆ部１５０を説明するためのブロック図である。
【図３】図２に示したスイッチ制御部１５２２の構成例を説明するための回路図である。
【図４】図３に示した構成のスイッチ制御回路１５２２における真理値表を示す図である。
【図５】外部Ｉ／Ｆ部１５０の適用例を説明するためのブロック図である。
【図６】外部Ｉ／Ｆ部１５０の構成例を説明するためのブロック図である。
【図７】外部Ｉ／Ｆ部の他の例を説明するためのブロック図である。
【図８】図７に示したスイッチ制御部１５２４の構成例を説明するための回路図である。
【図９】図８に示した構成のスイッチ制御回路１５２４における真理値表を示す図である。
【図１０】同種の外部Ｉ／Ｆのポートを２つ備えた従来の携帯電話端末の構成の概要を示すブロック図である。
【符号の説明】
【０１３９】
１０１…送受信アンテナ、１０２…アンテナ共用器、１０３…受信部、１０４…ベースバンド処理部、１０５…コーデック、１０６…受話器（スピーカ）、１０７…送話器（マイクロホン）、１０８…送信部、１０９…局発部、１２０…制御部、１２１…ＣＰＵ、１２２…ＲＯＭ、１２３…ＲＡＭ、１２４…ＥＥＰＲＯＭ、１２５…ＣＰＵバス、１３１…キーＩ／Ｆ、１３２…キー操作部、１４１…ＬＣＤ、１４２…リンガ、１４３…バイブレータ、１５０…外部Ｉ／Ｆ部、１５１Ａ、１５１Ｂ、１５１Ｃ、１５１Ｄ…Ｉ／Ｆ端部、１５２…スイッチ部、１５２１、１５２３…スイッチ回路、１５２２、１５２４…スイッチ制御部、１５３…外部Ｉ／Ｆ回路
【図１】
2009010587.tif 000003
【図２】
2009010587.tif 000004
【図３】
2009010587.tif 000005
【図４】
2009010587.tif 000006
【図５】
2009010587.tif 000007
【図６】
2009010587.tif 000008
【図７】
2009010587.tif 000009
【図８】
2009010587.tif 000010
【図９】
2009010587.tif 000011
【図１０】
2009010587.tif 000012